(57)【要約】【課題】    送付料金が低額となり且つシールが確実な採尿用容器を提供する。【解決手段】    採尿用容器１０は、一端が閉塞され、他端が開口された筒状の容器本体２０と、容器本体２０の密接挿入及び抜取り自在に形成されたカバー筒３０と、容器本体２０の開口端部に着脱自在なキャップ４０とを備えている。キャップ４０には、カバー筒３０の閉塞栓部４２とカバー筒３０の取付栓部４３及び仮止め栓部４４とが形成されている。【選択図】図１
2015049202.tif 000002
【特許請求の範囲】
【請求項１】
一端が閉塞され、他端が開口されると共に、中央部分に採尿口が開口された筒状の容器本体と、
一端が閉塞され、他端が開口されると共に、上記容器本体の挿入及び抜取り自在に形成され、上記採尿口を閉塞するように容器本体が挿入されるカバー筒と、
上記容器本体の開口端部に着脱自在な閉塞栓部が形成され、上記容器本体の開口端を開閉するキャップとを備え、
上記キャップには、採尿後にカバー筒を取り付ける取付栓部と、採尿前にカバー筒を仮止めする仮止め栓部とが形成され、
上記取付栓部は、上記閉塞栓部と同心上の筒状に形成され、かつ外ネジが形成され、
上記仮止め栓部は、上記取付栓部と反対側に延び、かつ外ネジが形成される一方、
上記カバー筒の開口端部には、上記取付栓部と上記仮止め栓部とに嵌込みかつ外ネジに対応した内ネジが形成され、上記取付栓部の端部に当接してシール部を構成する段差面が形成された取付部が形成されている
ことを特徴とする採尿用容器。
【発明の詳細な説明】
【技術分野】
【０００１】
本発明は、病院や検査センタ等で実施されている尿検査のために使用される採尿用容器に関するものである。
【背景技術】
【０００２】
従来、採尿用容器には、特許文献１に示すように、収納筒と該収納筒に着脱自在な採尿筒と、該採尿筒を覆うカバー筒とを備えているものがある。そして、この収納筒の採尿に基づいて、スクリーニング検査や尿沈渣検査等の尿検査が行われている。
【先行技術文献】
【特許文献】
【０００３】
【特許文献１】特開２０１３−４０７８８号公報
【発明の概要】
【発明が解決しようとする課題】
【０００４】
しかしながら、従来の採尿用容器は、収納筒と採尿筒とが連続した筒状を形成しているため、長さが長くなり、嵩張るという問題があり、特に、予め受診者に採尿用容器を送付する際、メール便の送付料金が高額になるという課題があった。
【０００５】
また、上記採尿筒を省略し、上記収納筒をカバー筒に挿入させるようにすると、上記カバー筒の開口部を確実に閉鎖する必要があり、シールが問題となる。
【０００６】
本発明は、斯かる点に鑑みてなされたものであり、容器自体の小型化を図り、かつ確実なシールが行われる採尿用容器を提供することを目的とする。
【課題を解決するための手段】
【０００７】
第１の発明は、一端が閉塞され、他端が開口されると共に、中央部分に採尿口が開口された筒状の容器本体と、一端が閉塞され、他端が開口されると共に、上記容器本体の挿入及び抜取り自在に形成され、上記採尿口を閉塞するように容器本体が挿入されるカバー筒と、上記容器本体の開口端部に着脱自在な閉塞栓部が形成され、上記容器本体の開口端を開閉するキャップとを備えている。そして、上記キャップには、採尿後にカバー筒を取り付ける取付栓部と、採尿前にカバー筒を仮止めする仮止め栓部とが形成されている。さらに、上記取付栓部は、上記閉塞栓部と同心上の筒状に形成され、かつ外ネジが形成され、上記仮止め栓部は、上記取付栓部と反対側に延び、かつ外ネジが形成されている。一方、上記カバー筒の開口端部には、上記取付栓部と上記仮止め栓部とに嵌込みかつ外ネジに対応した内ネジが形成され、上記取付栓部の端部に当接してシール部を構成する段差面が形成された取付部が形成されている。
【０００８】
上記第１の発明では、容器本体が採尿と尿の収納部とを兼用しているので、容器全体の小型化が図られる。その結果、送付料金が低額となる。
【０００９】
また、上記キャップには、カバー筒の取付栓部が形成されているので、上記取付栓部の端部と上記カバー筒の取付部との間でシール部が構成され、確実なシールが行われる。
【発明の効果】
【００１０】
本発明によれば、容器本体が採尿と尿の収納部とを兼用しているので、従来のように長さが長くなくなり、容器全体の小型化を図ることができる。その結果、送付料金を低額とすることができる。
【００１１】
また、上記キャップには、カバー筒の取付栓部が形成されているので、上記取付栓部の端部と上記カバー筒の取付部との間でシール部を構成することができ、確実なシールを行うことができる。
【図面の簡単な説明】
【００１２】
【図１】図１は、採尿用容器の縦断面図である。
【図２】図２は、図１のＩＩ線の断面図である。
【図３】図３は、採尿時を示す採尿用容器の外観を示す平面図である。
【図４】図４は、容器本体の縦断面図である。
【図５】図５は、カバー筒の縦断面図である。
【発明を実施するための形態】
【００１３】
以下、本発明の実施形態を図面に基づいて詳細に説明する。
【００１４】
図１〜図３に示すように、採尿用容器１０は、病院等で行われる尿検査の際に尿を採取するための容器である。該採尿用容器１０は、採取した尿を収容する容器本体２０と、該容器本体２０を被覆可能なカバー筒３０と、上記容器本体２０に着脱自在に取付けられるキャップ４０とより構成されている。
【００１５】
上記容器本体２０は、一端が閉塞され、他端が開口されて細長の筒体に形成されている。上記容器本体２０は、合成樹脂などの透明材料より形成されている。さらに、上記容器本体２０は、採尿口２１と２つの補助口２２とが形成され、該採尿口２１より閉塞端側が尿の収納部になり、採尿量が５ｍｌになるように構成されている。
【００１６】
上記採尿口２１は、尿の採取時に該尿が注入される開口で、容器本体２０における長さ方向の基端側（開口側）に形成されている。
【００１７】
上記容器本体２０は、該容器本体２０の先端側に形成された先細部２３と、該先細部２３に連続して形成されて上記採尿口２１を有する本体部２４とを備えている。上記先細部２３は、図４にも示すように、断面が真円に形成され、先端から基端側の本体部２４に向かって外径が徐々に大きくなっている。
【００１８】
上記容器本体２０の先細部２３には、６つの計量線ＬＭ，……が付されている。具体的に、先細部２３には、０．１ｍｌの計量線ＬＭと、１ｍｌの計量線Ｌ１と、２ｍｌの計量線Ｌ２と、３ｍｌの計量線Ｌ３と、４ｍｌの計量線Ｌ４と、５ｍｌの計量線Ｌ５とが付されている。各計量線ＬＭ，Ｌ１〜Ｌ５は、先細部２３の全周に亘る線状の突起によって構成されている。
【００１９】
上記容器本体２０の先細部２３は、その先端に凹部２６が形成されている。
【００２０】
また、上記容器本体２０の先細部２３は、その先端から計量線ＬＭまでの部分が、先端部２５を構成している。この先端部２５の内面２７は、検査時の沈殿物が付着するように構成されている。
【００２１】
上記先端部２５の外面には、４本のリブ２９が形成されている。各リブ２９は、計量線ＬＭから凹部２６の縁部まで延びる畝状の細長い突起である。４本のリブ２９は、先端部２５の周方向に等間隔で配置されている。なお、リブ２９の数は単なる一例である。
【００２２】
上記本体部２４は、先細部２３に連続し、先端から基端に亘って同じ外径に形成されている。そして、上記本体部２４には、採尿口２１と補助口２２とが形成されている。
【００２３】
また、上記本体部２４の開口部の内周面は、キャップ４０を覆うように構成され、キャップ４０が嵌り込む環状溝２８が形成されている。
【００２４】
上記カバー筒３０は、図５にも示すように、一端が閉塞され、他端が開口された筒体に形成され、上記容器本体２０の挿入及び抜取り自在に形成されている。つまり、該カバー筒３０は、上記容器本体２０の先細部２３と本体部２４とに対応し形状の先細部３１と本体部３２とが形成されている。
【００２５】
上記カバー筒３０の開口端部には、上記キャップ４０に取り付ける取付部３３が形成されている。該取付部３３は、外径が上記本体部３２よりやや大径に形成され、内側に内ネジ３４が形成されている。さらに、上記取付部３３の内側の端部が段差面３５に形成されている。
【００２６】
上記キャップ４０は、容器本体２０の開口端を閉鎖すると同時に、把持部となるものであって、キャップ本体４１に閉塞栓部４２と取付栓部４３と仮止め栓部４４とが形成されて構成されている。
【００２７】
上記閉塞栓部４２は、容器本体２０の開口端部の内部に圧接挿入及び抜取り自在な短柱状に形成され、該容器本体２０の開口端を閉鎖するように構成されている。上記閉塞栓部４２の外周には、容器本体２０がカバー筒３０に挿入された状態で該容器本体２０に嵌り込む突起４５が形成されている。該突起４５は、上記容器本体２０の環状溝２８に嵌り込むように構成されている。
【００２８】
上記取付栓部４３は、採尿後に容器本体２０を覆うカバー筒３０が取り付けられるように構成されている。上記取付栓部４３は、上記閉塞栓部４２の外側に該閉塞栓部４２と所定間隔を存して形成され、上記閉塞栓部４２と同心の短い円筒状に形成されている。さらに、上記取付栓部４３の外周面には、上記カバー筒３０の内ネジ３４に対応した外ネジ４６が形成されている。
【００２９】
上記仮止め栓部４４は、採尿前のカバー筒３０が仮止めされるように構成されている。上記仮止め栓部４４は、上記取付栓部４３と反対側に延び、上記取付栓部４３と同心の短い円筒状に形成されている。さらに、上記仮止め栓部４４の外周面には、上記カバー筒３０の内ネジ３４に対応した外ネジ４７が形成されている。
【００３０】
上記取付栓部４３の端面（下端面）は、上記カバー筒３０の取付部３３の内側の段差面３５に当接してシール部１１を構成している。
【００３１】
−採尿動作−
上記採尿用容器１０は、採尿時において、容器本体２０の開口端にキャップ４０を閉塞栓部４２にて取付けると共に、該キャップ４０の仮止め栓部４４にカバー筒３０の取付部３３をねじ込み、キャップ４０にカバー筒３０を保持させ、図３に示すように、採尿状態に組立てる。この組立てた状態において、被検査者は、容器本体２０の閉塞端側を下方に向けてキャップ４０を把持する。そして、該被検査者は、採尿口２１に尿を掛けることにより、該尿が採尿口２１より容器本体２０に注入され、該容器本体２０に尿が収納されて尿の採取が終了する。
【００３２】
この尿の採取が終了すると、容器本体２０の閉塞端側を下方に向けたままカバー筒３０をキャップ４０の仮止め栓部４４からねじ取り、該容器本体２０をカバー筒３０の取付栓部４３にカバー筒３０の取付部３３をねじ込む。このカバー筒３０に容器本体２０を挿入することにより、採尿口２１および補助口２２が閉鎖されると共に、上記カバー筒３０と容器本体２０との両開口端部が閉塞される。
【００３３】
つまり、上記容器本体２０の開口端部は、キャップ４０の閉塞栓部４２の突起４５によってシールされ、上記カバー筒３０の開口端部は、キャップ４０の取付栓部４３の端面のシール部１１によってシールされる。
【００３４】
そして、上記容器本体２０をカバー筒３０に挿入した状態において、容器立て等に挿入して検査室等に搬送される。
【００３５】
なお、図１に示すように、容器本体２０をカバー筒３０に挿入した状態では、容器本体２０のリブ２９がカバー筒３０の内面と接する。尿を遠心分離する場合、容器本体２０は、カバー筒３０に挿入された状態で遠心分離器に装着される。そして、容器本体２０のリブ２９がカバー筒３０と接するため、遠心分離中には、容器本体２０の先端部２５がカバー筒３０に保持される。
【００３６】
−実施形態１の効果−
本実施形態によれば、容器本体２０が採尿と尿の収納部とを兼用しているので、従来のように長さが長くなくなり、容器全体の小型化を図ることができる。その結果、送付料金を低額とすることができる。
【００３７】
また、上記キャップ４０には、カバー筒３０の取付栓部４３が形成されているので、上記取付栓部４３の端部と上記カバー筒３０の取付部３３との間でシール部１１を構成することができ、確実なシールを行うことができる。
【００３８】
〈その他の実施形態〉
本発明は、上記実施形態について、以下のような構成としてもよい。
【００３９】
上記先端部２５は、先細部２３の先端から０．１ｍｌの計量線までの部分に限定されるものではない。
【００４０】
また、上記容器本体２０は、採尿量が５ｍｌになるように構成したが、採尿量が６ｍｌ又は７ｍｌになるように構成してもよい。つまり、上記容器本体２０は、採尿量が６ｍｌ又は７ｍｌになるように採尿口２１を形成してもよい。
【００４１】
なお、以上の実施形態は、本質的に好ましい例示であって、本発明、その適用物、あるいはその用途の範囲を制限することを意図するものではない。
【産業上の利用可能性】
【００４２】
以上説明したように、本発明は、尿検査のための採尿用容器について有用である。
【符号の説明】
【００４３】
１０            採尿用容器
１１            シール部
２０            容器本体
２３            先細部
２４            本体部
３０            カバー筒
３３            取付部
４０            キャップ
４２            閉塞栓部
４３            取付栓部
４４            仮止め栓部
【図１】
2015049202.tif 000003
【図２】
2015049202.tif 000004
【図３】
2015049202.tif 000005
【図４】
2015049202.tif 000006
【図５】
2015049202.tif 000007